(57)【要約】【課題】印刷機上を移動するウェブを目視検査する方法および装置を提供する。【解決手段】本発明は、一般に印刷機の分野に関し、特に、好ましくはＬＥＤ光源であるＣＭＯＳに基づく画像記録デバイスを使用する印刷機上を移動するウェブを目視検査する方法および装置に関する。ＬＥＤ光源は、ウェブに対する様々なインク色を強調するために、白色および青色などの少なくとも２つの光の色を含む。【選択図】図２
2005315879.tif 000002
【特許請求の範囲】
【請求項１】
印刷機の基材を目視検査する方法であって、
白色基材上に印刷された、イエローインクを含む画像を記録するように構成された単色センサを含む画像記録デバイスを提供するステップと、
前記基材を白色光および青色光で照明するステップとを含み、
青色光で前記白色基材を照明するステップが、前記白色基材に対して前記イエローインクを強調する方法。
【請求項２】
前記単色センサを含む画像記録デバイスを提供するステップが、ＣＭＯＳ画像記録デバイスを提供するステップを含む請求項１に記載の方法。
【請求項３】
前記基材を白色光および青色光で照明するステップが、前記基材を白色および青色ＬＥＤで照明するステップを含む請求項１に記載の方法。
【請求項４】
印刷機の基材を目視検査する方法であって、
基材上に印刷された画像を記録するように構成された単色センサを含む画像記録デバイスを提供するステップと、
前記基材に対して、前記印刷された画像の異なるインクで色付けされた部分を識別するために、様々な色の光で前記基材を照明するステップとを含む方法。
【請求項５】
前記基材を照明するステップは、ＬＥＤを使用して照明するステップを含む請求項４に記載の方法。
【請求項６】
前記ＬＥＤを使用して照明するステップは、青色光および白色光で前記基材を照明するステップを含む請求項５に記載の方法。
【請求項７】
印刷機の基材と光学的に連絡するように構成された目視検査システムであって、
白色基材上に印刷機によって印刷された、イエローインクを含む印刷された画像を記録するように構成された単色画像記録デバイスと、
前記記録デバイスに隣接し、前記白色基材を照明するように位置決めされた複数のＬＥＤとを備え、
前記ＬＥＤの一部が白色であり、前記ＬＥＤの一部が青色であり、青色ＬＥＤで前記白色基材を照明することが、前記白色基材に対して前記イエローインクを強調する目視検査システム。
【請求項８】
前記青色ＬＥＤは、シアンＬＥＤを含む請求項７に記載の目視検査システム。
【請求項９】
前記記録デバイスは、ＣＭＯＳ記録デバイスである請求項７に記載の目視検査システム。
【請求項１０】
印刷機の基材と光学的に連絡するように構成された目視検査システムであって、
基材上に印刷された画像を記録するように構成されたＣＭＯＳ画像記録デバイスと、  前記記録デバイスに隣接し、前記基材を照明するように位置決めされた複数の高輝度ＬＥＤとを備え、
前記ＬＥＤの一部が白色であり、前記ＬＥＤの一部が白色以外の色である目視検査システム。
【請求項１１】
前記記録デバイスはレンズを含み、前記ＬＥＤは前記レンズを囲む矩形の方向に配置される請求項１０に記載の目視検査システム。
【請求項１２】
前記記録デバイスは、さらに前記ＬＥＤの背後に結合された反射器を含む請求項１１に記載の目視検査システム。
【請求項１３】
前記基材上に印刷された前記画像はイエローインクを含み、前記複数のＬＥＤは、前記基材に対して前記イエローインクを強調するために青色ＬＥＤを含む請求項１０に記載の目視検査システム。
【請求項１４】
印刷機の前記基材と光学的に連絡するように構成された目視検査システムであって、
基材上の画像を記録するように構成された単色画像記録デバイスと、
前記記録デバイスに隣接して配置された少なくとも２つの異なる色の複数のＬＥＤと、
前記記録デバイスに結合された制御システムとを備え、前記制御システムは、前記印刷機の動作を制御するために前記記録された画像を使用する目視検査システム。
【請求項１５】
前記ＬＥＤは、青色および白色ＬＥＤを含む請求項１４に記載の目視検査システム。
【請求項１６】
前記青色ＬＥＤは、シアンＬＥＤを含む請求項１５に記載の目視検査システム。
【請求項１７】
前記ＬＥＤは、高輝度タイプである請求項１４に記載の目視検査システム。
【請求項１８】
前記制御システムは、遮断制御システムである請求項１４に記載の目視検査システム。
【請求項１９】
前記制御システムは、色制御システムである請求項１４に記載の目視検査システム。
【請求項２０】
前記制御システムは、位置合わせ制御システムである請求項１４に記載の目視検査システム。
【請求項２１】
前記制御システムは、ウェブ検査制御システムである請求項１４に記載の目視検査システム。
【請求項２２】
前記記録デバイスは、前記印刷機に対して固定される請求項１４に記載の目視検査システム。
【請求項２３】
前記記録デバイスは、ＣＭＯＳ記録デバイスである請求項１４に記載の目視検査システム。
【請求項２４】
前記記録デバイスは、前記ＬＥＤの背後に結合された反射器を含む請求項１４に記載の目視検査システム。
【請求項２５】
印刷機の基材と光学的に連絡するように構成された目視検査システムであって、
基材上に印刷機によって印刷され、様々な色のインクを含む画像を記録するように構成された単色画像記録デバイスと
前記記録デバイスに隣接し、前記基材に対して前記様々な色のインクを強調することを支援するように選択される少なくとも２つの異なる色の照明器とを備える目視検査システム。
【請求項２６】
前記照明器は、複数のＬＥＤを含む請求項２５に記載の目視検査システム。
【請求項２７】
前記照明器は、複数の高輝度ＬＥＤを含む請求項２５に記載の目視検査システム。
【請求項２８】
前記照明器は、青色ＬＥＤを含む請求項２７に記載の目視検査システム。
【請求項２９】
前記照明器は、シアンＬＥＤを含む請求項２７に記載の目視検査システム。
【請求項３０】
印刷機上の単色画像記録デバイスのための照明構成体であって、前記照明構成体は、前記印刷機の基材を照明するように構成され、前記照明構成体は、
前記単色画像記録デバイスを囲む構成で配置された複数のＬＥＤを備え、前記複数のＬＥＤは、基材に対する印刷された画像の異なるインクで色付けされた部分を識別しかつ強調するために、異なる色の光を放出する照明構成体。
【請求項３１】
前記複数のＬＥＤは、前記基材に対する前記印刷された画像のイエロー部分を強調するために、青色波長を有する光を放出するＬＥＤを含む請求項３０に記載の照明構成体。
【請求項３２】
前記複数のＬＥＤは、高輝度ＬＥＤを含む請求項３０に記載の照明構成体。
【請求項３３】
前記基材上の前記ＬＥＤによって生成された光を反射するために、前記ＬＥＤの背後で前記単色記録デバイスに結合された反射器をさらに備える請求項３０に記載の照明構成体。
【発明の詳細な説明】
【技術分野】
【０００１】
本発明は、一般的に印刷機の分野に関連し、詳細には、相補的金属酸化物半導体（ＣＭＯＳ）に基づく画像記録デバイス、および／または発光ダイオード（ＬＥＤ）照明源などの画像記録デバイスを使用する、印刷機に沿って移動する基材上の画像を目視検査するための方法および装置に関する。
【背景技術】
【０００２】
本出願は、２００２年９月１７日に提出された米国特許出願第１０／２４５４６９号の一部継続出願である。
ウェブオフセット印刷などの例示的な印刷機において、一般的には紙である材料のウェブは、巻き枠台などの格納機構体から、繰り返し画像を有するウェブを刷る１つまたは複数の印刷ユニットへ供給される。刷られたウェブは、一般に、乾燥器ユニット、冷却台、および／または被覆機械などの多数の処理ユニットを介して駆動される。ウェブは、次に形成器／折り畳み器に供給される。
【０００３】
印刷機の様々な条件（例えば、ウェブ張力、重ね継ぎの存在、および折り畳み器、細断器、刷り器、接着器、および他の処理機器からの影響）は、ウェブの位置を、処理部（例えば、印刷ユニット、処理ユニット、形成器／折り畳み器など）に対して経時的に変えることがある。したがって、ウェブの長手方向位置を進ませるまたは遅らせることによって、かつ／またはウェブの側方位置を調整することによって、ウェブと処理部との位置関係を定期的に調整することが必要である。
【０００４】
ウェブと処理部との位置関係の調整を制御する制御システムは、一般に知られ、遮断制御を含む。一般に、位置調整の量は、目視検査システムを使用し、かつ／または印刷機操作者がウェブを手動で観察することを用いて、ウェブの移動を観察することによって決定される。他の印刷機制御システムは、色位置合わせ、色制御、およびウェブ検査を含む。
【０００５】
制御システムと共に動作する既存の目視検査システムは、一般に少なくとも１つのカメラアセンブリを使用する。カメラアセンブリは、一般に、電荷結合デバイス（ＣＣＤ）カメラなどの画像記録デバイスを含む。カメラアセンブリは、また一般に、画像が記録されるときに、画像記録デバイスの視野を照明するための照明システムを含む。既存の照明システムは、パルスキセノンストロボ光、ＨＩＤアークランプ、高周波数スリット開口蛍光灯、水晶タングステンハロゲン光、および／または白熱光などの光源を含む。
【０００６】
一般に、目視検査システムにおいて使用される各カメラアセンブリは、専用処理ユニット（すなわち、各処理ユニットは、ただ１つのだけのカメラアセンブリを収容する）に結合され、専用処理ユニットは、それによって印刷機のある態様を制御するために使用される制御システムに結合される。制御システムの少なくとも一部は、専用処理ユニットに含めることができる。既存の目視検査システムの技術的要件は、一般に、カメラアセンブリを専用処理ユニットに結合する相互接続が、最大の約４．６ｍ（１５フィート）の距離より短い必要がある。既存のカメラアセンブリは、一般に、一連の軸符号器を使用して移動するウェブに同期される。既存のカメラアセンブリは、移動するウェブの各循環または繰り返しを記録する能力（すなわち、カメラアセンブリは、移動するウェブ上に印刷された画像の少なくとも一部を記録するために十分に速いサンプリング速度を含まない）を含まず、したがって、既存のカメラアセンブリは、移動に関する移動するウェブを解析するためのサンプリング技術に頼っている。既存の目視検査システムは、主ウェブ移動と同じ面にない任意で方向のウェブの位置の変動を検出できない。
【発明の開示】
【発明が解決しようとする課題】
【０００７】
既存の目視検査システムの照明システムで使用される光源は、一般に、画像品質に対する熱からの悪影響を低減するために放散されなければならない熱を生成する（例えば、熱は、センサに影響を及ぼし、不十分な画像品質を引き起こす）。さらに光源は、より少ない電力を使用し、価格がより安く、より長持ちすることが好ましい。
【０００８】
印刷の１つの形態において、複数色のインクが基材上に印刷され、画像を形成する。ある一般的なインクプロセス色の組み合わせは、シアン、マゼンタ、イエロー、および黒（ＣＭＹＫインクとして知られている）である。これらには限定されないが、色制御、色位置合わせ、およびウェブ検査などの印刷機制御システムは、しばしば、全てのプロセス色を識別できなければならない。単色センサを含む印刷機制御システムは、一般に、インク色を検出するために印刷された基材を照明するために白色光を使用している。これは、例えば、イエローインクが、色の類似性のため、単色センサを使用して白色基材に対し識別するのが困難である点で問題になる可能性がある。１つの解決方法は、イエローに対する制御システムの感受性を増大するために、特定の波長を遮断する青色フィルタまたはレンズをカメラアセンブリに追加することであった。しかしながら、フィルタは、基材に到達する利用可能な光の量を低減するので、そのようなフィルタを追加することは欠点であり得る。特に、ＬＥＤ光源などの制限された量の利用可能な光を有する光源を使用するとき、フィルタを追加することによって引き起こされる光の低減は、様々な印刷パラメータの有効な制御に有害である可能性がある。
【課題を解決するための手段】
【０００９】
本発明は、印刷機の基材と光学的に連絡するように構成された目視検査システムを提供する。目視検査システムは、基材上に印刷機によって印刷された画像を記録するように構成された単色の画像記録デバイスを含む。印刷された画像は、様々な色のインクを含む。目視検査システムは、また、記録デバイスに隣接して、少なくとも２つの異なる色の照明器を含む。色は、基材に対する様々な色のインクの強調を支援するように選択される。
【００１０】
一実施形態において、照明器は、複数の高強度ＬＥＤを含む。他の実施形態において、照明器は、青色ＬＥＤおよび白色ＬＥＤを含む。他の実施形態において、照明器は、シアンＬＥＤを含む。他の実施形態において、目視検査システムは、記録デバイスに結合された制御システムを含む。制御システムは、印刷機の動作を制御するために記録された画像を使用する。他の実施形態において、制御システムは、位置合わせ制御システムである。他の実施形態において、画像記録デバイスは、ＣＭＯＳ記録デバイスである。他の実施形態において、基材上に印刷された画像は、イエローインクを含み、かつ青色ＬＥＤは、基材に対してイエローインクを強調する。他の実施形態において、画像記録デバイスは、ＬＥＤの背後に結合された反射器を含む。他の実施形態において、基材は白色である。
【００１１】
本発明は、印刷機の基材を目視検査する方法も提供する。方法は、基材上に印刷される画像を記録するように構成された単色センサを含むカメラアセンブリを提供するステップと、基材に対して印刷された画像の異なるインクで色付けされた部分を識別するために、様々な色の光で基材を照明するステップとを含む。一実施形態において、画像は、白色基材上に印刷された、イエローインクを含み、様々な色の光は、青色で白色基材を照明することが、白色基材に対してイエローインクを強調するように青色光を含む。
【００１２】
本発明は、印刷機の基材を照明するように構成された、印刷機上の単色画像記録デバイスに関する照明構成体も提供する。照明構成体は、単色記録デバイスの周りの構成で配置された複数のＬＥＤを含む。ＬＥＤは、基材に対する印刷された画像の異なるインクで色付けられた部分を識別しかつ区別するように、異なる色を有する光を放出する。
【００１３】
本発明の他の特徴および利点は、詳細な記載、図面、および請求項を考慮して明らかになる。
【発明を実施するための最良の形態】
【００１４】
本発明の任意の実施形態を詳細に説明する前に、本発明は、以下の記載に示されまたは以下の図面で図示される構造および構成部品の配置の詳細に対するその適用に限定されないことを理解されたい。本発明は、他の実施形態、および様々な方法で行われまたは実施することができる。また、本明細書で使用される表現および用語は、記載の目的のためであり、限定として見なされるべきではないことを理解されたい。本明細書における「含む」、「備える」、または「有する」およびそれらの変形形態の使用は、以降に列挙される項目およびそれらの均等物、ならびに追加の項目を含むことを意味する。
【００１５】
図１を参照すると、ウェブ１２などの基材（例えば、紙）上の多数の繰り返し画像を印刷するための典型的な印刷機１０が示される。示される印刷機１０は、ウェブ１２の巻き枠１６を支持する巻き枠台１４を含むウェブオフセット印刷機である。本発明は、シート供給印刷機および例えばグラビア印刷機および新聞印刷機などの他の非オフセット印刷機に等しく適用可能である。
【００１６】
印刷機１０は、それぞれ異なる色のインクで印刷する印刷ユニット１８、２０、２２、および２４を含む。このタイプの印刷は、一般にウェブオフセット印刷と呼ばれる。図示される印刷機１０において、ウェブ１２が出会う第１の印刷ユニット１８は、黒色インクで印刷し、他の印刷ユニット２０、２２、および２４は、他の色で印刷する。例えば、印刷ユニット２０は、マゼンタインクで印刷することができ、印刷ユニット２２は、シアンインクで印刷することができ、かつ印刷ユニット２４は、イエローインクで印刷することができる。しかしながら、本発明は、異なる色で印刷する印刷ユニットで、かつ／またはより少ないまたは追加の印刷ユニットで実施することができることを理解されたい。ウェブ１２自体は、一般に単色であるが、ウェブ１２の色は、それらに限定されないが、白色、茶色、灰色がかった白色、黄色などの任意の色であることができる。
【００１７】
印刷機１０は、駆動ローラ２８を含む駆動システム２６を含み、駆動システム２６は、ウェブ１２を、巻き枠１６から各印刷ユニット１８、２０、２２、および２４を通して移動する。各印刷ユニット１８、２０、２２、および２４によって印刷された画像は、移動するウェブ１２上で合成複数色の画像を形成するために重ね合わせる。
【００１８】
各印刷ユニット１８、２０、２２、および２４は、ウェブ１２を挟む一対の平行に回転可能なブランケットシリンダ３０および３２を含む。各印刷ユニット１８、２０、２２、および２４は、さらにプレートシリンダ３４を含み、プレートシリンダ３４はその上に印刷プレートを有し、かつブランケットシリンダ３０にインク画像を加える。任意に、ウェブ１２の両側に印刷することが望ましいなら、各印刷ユニット１８、２０、２２、および２４は、さらにプレートシリンダ３６を含み、プレートシリンダ３６はその上に印刷プレートを有し、かつブランケットシリンダ３２にインク画像を加える。ブランケットシリンダ３０および３２は、プレートシリンダ３４および３６から受けたインク画像をウェブ１２へ転写する。
【００１９】
印刷ユニット１８、２０、２２、および２４を通った後、ウェブ１２は、所望であれば、乾燥器３８、冷却台４０、および被覆機械４２などの様々な処理ユニットを通って案内される。ウェブは、次に形成器／折り畳み器４４に送られる。
【００２０】
自動化されたウェブ供給印刷機は、一般的に、ウェブ１２と光学的に連絡する少なくとも１つのカメラアセンブリを含む。各カメラアセンブリは、印刷機の典型的な制御システムがウェブを観測するために使用される。印刷機１０は、少なくとも１つの目視検査システムに結合される。図２に示されるように、本発明の目視検査システム４６は、側方枠ユニット４８（すなわち処理ユニット）、およびウェブ１２と光学的に連絡されるように構成された少なくとも１つのカメラアセンブリ５０を含む。目視検査システム４６は、少なくとも１つのカメラアセンブリ位置決めユニット５２を含むこともできる。カメラアセンブリ５０とカメラアセンブリ位置決めユニット５２との組み合わせは、カメラシステム５４としても知られている。
【００２１】
例えば、単一のカメラアセンブリ５０または複数の協働するカメラアセンブリ５０が、ウェブ１２の全ての必要な領域を包含する視野を得ている場合、カメラアセンブリ位置決めユニット５２は必ずしも必要ではない。目視検査システム４６に含まれる各カメラアセンブリ５０および／またはカメラシステム５４は、目視検査で必要な領域におけるウェブ１２の視野を獲得するために、印刷機１０上に搭載される。目視検査システム４６は、カメラアセンブリ５０および／またはカメラシステム５４の数および配置の両方を将来変更することを可能にする。
【００２２】
側方枠ユニット４８は、使用される各カメラアセンブリ５０に対する少なくとも１つの相互接続、および使用される各カメラアセンブリ位置決めユニット５２に対する少なくとも１つの相互接続を含む。相互接続は、情報の伝達を容易にするために使用される低電圧差動送信器および受信器が可能な最大距離より短くなければならない。直列送信プロトコルが情報の伝達に使用されるとき、相互接続は、ほぼ９１．４ｍ（３００フィート）であることができる。並列送信プロトコルが情報の伝達に使用されるとき、相互接続は、ほぼ９．１ｍ（３０フィート）であることができる。多重化された送信プロトコルが、好ましい実施形態で使用される。一実施形態において、相互接続に使用されるケーブル配線は、高周波数送信用に定格される。
【００２３】
単一の側方枠ユニット４８は、好ましくは、印刷機１０の安定状態動作の間に、例えば最大８個のカメラアセンブリ５０を収容することができる。さらに、側方枠ユニット４８は、印刷機１０の制御システム５６および決定電子機器から最大３０５ｍ（１０００フィート）に配置することができる。一実施形態において、側方枠ユニット４８は、イーサネット（登録商標）接続を介して各制御システム５６および決定電子機器に結合される。本発明は、側方枠ユニット４８の容量に基づく目視検査システム４６の構成部品の搭載における増大された柔軟性、相互接続の延長された距離、および使用される構成部品および組み込まれる設計に基づく、既存のカメラアセンブリに匹敵する寸法において低減されたカメラアセンブリ５０を可能にする。
【００２４】
側方枠ユニット４８は、シングルボードコンピュータ（ＳＢＣ）５８、電源６０、および少なくとも１つのカメラインタフェースボード（ＣＩＢ）６２を含むことができる。各カメラインタフェースボード６２は、シングルボードコンピュータ５８上に配置されたバスコネクタを介してシングルボードコンピュータ５８に結合される。各カメラインタフェースボード６２は、１つまたは複数のいずれかのカメラアセンブリ５０に結合することができる。各カメラインタフェースボード６２は、各カメラ位置決めユニット５２に結合することができ、各カメラ位置決めユニット５２は、カメラインタフェースボード６２に結合されたそれぞれのカメラアセンブリ５０を移動するように構成される。
【００２５】
シングルボードコンピュータ５８は、ペンティアム（登録商標）または少なくとも３３０ＭＨｚのクロック速度を有するより高速のプロセッサ、パーソナルコンピュータ（ＰＣ）アーキテクチャ、周辺構成部品相互接続（Ｐｅｒｉｐｈｅｒａｌ  Ｃｏｍｐｏｎｅｎｔ  Ｉｎｔｅｒｃｏｎｎｅｃｔ、ＰＣＩ）（すなわち、パーソナルコンピュータバス）、ほぼ３２ＭＢのメモリ（半導体メモリおよび／またはディスクドライブ記憶装置）、およびイーサネット（登録商標）ポートを含む従来のタイプのものであることができる。任意に、シングルボードコンピュータ５８は、ＩＤＥ（Ｉｎｔｅｇｒａｔｅｄ  Ｄｒｉｖｅ  Ｅｌｅｃｔｒｏｎｉｃｓ）（すなわち、ハードディスク）コントローラ、ＶＧＡ（Ｖｉｄｅｏ  Ｇｒａｐｈｉｃｓ  Ａｒｒａｙ）ドライバ、およびキーボード入力装置を含むことができる。必要なメモリ量は、主に格納される履歴データの量に応じる。制限された履歴データだけが所望であれば、メモリ要件は低く維持することができる。シングルボードコンピュータ５８は、遠隔ソフトウエアを更新し、かつ遠隔システムを診断することが可能なように構成することができる。
【００２６】
各カメラアセンブリ５０は、画像記録デバイス６６および好ましくは照明システム６４を含む。好ましい実施形態において、画像記録デバイス６６は、モトローラ（Ｍｏｔｏｒｏｌａ）から入手可能なモデルＭＣＭ２００１４、または他の製造業者からの他の類似するデバイスなどのＣＭＯＳに基づく画像記録デバイス（例えば、ＣＯＭＳカメラおよび／またはＣＭＯＳセンサ）である。ＣＭＯＳに基づく画像記録デバイスの利点は、より低い電力消費、低減されたデータ送信要件、および単一の集積チップ上への直接修正可能な獲得パラメータを含む。
【００２７】
照明システム６４は、視野を照明するために光源を含む。好ましい実施形態において、光源は、ＬＥＤ光アレイ、より好ましくは複数の高輝度ＬＥＤである。そのような高輝度ＬＥＤは、カルフォルニアのサンノゼのＬｕｍｉｌｅｄｓ  Ｌｉｇｈｔｉｎｇ、Ｉｎｃ．から入手可能である。高輝度ＬＥＤは、標準のＬＥＤとは以下の点で異なる。すなわち、高輝度ＬＥＤは、ＬＥＤへのより多くの電流入力を処理するように設計され、増大された電流入力から生成された熱を放散するように設計され、ＬＥＤの出力を増大するために生成された光を集束するように設計される点である。その結果、高輝度ＬＥＤは、最大５ワットの消費電流、およびほぼ８０光束の出力を有することができる。増大された光出力は、ＬＥＤが、所望の印刷速度で（１分間当たり約１０６７ｍ（３５００フィート）を超えることができる）ウェブを照明するために十分な光を提供することが望ましいことがある。この応用例で使用される好ましい高輝度ＬＥＤは、８０以上の光束の出力を達成することができる。標準のＬＥＤは、５から１０の光束の範囲の出力を有する。いくつかの応用例において、高輝度ＬＥＤさえからでも必要な要求される光の量を得るために、ＬＥＤを過剰駆動する必要がある。ＬＥＤが過剰駆動されるとき、ＬＥＤは、非常に短い期間に関して約７アンペア（１００ワットを超える）の電力で駆動される。短い期間のために、ＬＥＤは、この過剰な電力によって損傷を受けず、ＬＥＤによって出力される光出力は増大される。
【００２８】
ＬＥＤ光アレイ６７は、好ましくは画像記録デバイス６６のレンズの周りに配置されるパターンまたは構成を組み込む。図３に示される円形構成が、そのような構成上にある。好ましくは、構成は、図６に示される矩形構成である。しかしながら、他の構成またはパターンも利用することができることに留意されたい。ＬＥＤなどの非白熱光源の使用は、より少ない熱を生成し、より少ない価格であり、より少ない電力を使用し、白熱光源に比べてより長い寿命を有する。しかしながら、白熱光源をも、本発明で利用することができることに留意されたい。
【００２９】
図２を再び参照すると、目視検査システム４６は、好ましくは、同期モジュール６８を用いてウェブ１２の移動と同期される。同期モジュール６８は、印刷機１０に結合され、遷移が、通過することによってウェブ１２の各主循環時に検出される（例えば、遷移は各画像繰り返しに関して検出される）。目視検査システム４６は、初期タイミングを生成するために遷移を使用し、初期タイミングは、カメラアセンブリ５０によって通過した各画像の繰り返しおよび全ての画像の繰り返しの少なくとも一部の画像の記録を結果として生じる。
【００３０】
目視検査システム４６は、少なくとも１つの同期モジュール６８を利用する。一般に、監視される印刷機１０の各制御態様は、専用の同期モジュール６８を含む。代替実施形態において、同期モジュール６８からの信号は、いくつかの制御応用例による使用のために、共に多重化またはデイジーチェーン化することができる。本発明は、１秒間に３０フレームを超える速度の動作する外部刺激による、目視検査システム４６の同期を可能にする。したがって、目視検査システム４６は、約５７ｃｍ（２２．５インチ）の繰り返しレートで１分間当たり約１０６７ｍ（３５００フィート）を超える速度のレートで移動する、印刷機１０上のカメラアセンブリ５０によって各画像の繰り返しの少なくとも一部を記録することができる。さらに、目視検査システム４６は、１秒間当たり３０フレーム以上が可能であるが、１秒間当たり５フレームと１秒間当たり３０フレームとの間に入る典型的な範囲内のレート範囲を越える外部刺激で同期することができる。１秒間当たりのフレーム数は印刷速度に関連し、関心の領域が減少した場合、１秒間当たりのフレーム数が増えるように関心の領域に応じたものであることを理解されたい。
【００３１】
同期モジュール６８は、軸符号器を含むことができ、軸符号器は、頂上死点（ＴＤＣ）指示、ならびに位置の小さな段階を示す１０００〜８０００個分割を含む。別法として、同期モジュール６８は、ＴＤＣ指示だけを含む軸符号器を含むことができる。好ましい実施形態は、ＴＤＣ指示だけを含む軸符号器を利用する。ＴＤＣだけの方法は、ほとんどジッタの無い次の繰り返しの交差の指示を可能にすることができる。両方の方法は、遷移間の時間を十分な部分に分割し、正確な位置付けを可能にする。目視検査システム４６は、次に最後の遷移からの時間を計数し、かつ画像を記録するための正確な時間を指示する制御信号をカメラアセンブリ５０に自動的に提供する。
【００３２】
一般的な動作において、側方枠ユニット４８は、多数の相互接続（例えば、データバス）によって、カメラアセンブリ位置決めユニット５２およびカメラアセンブリ５０に結合される。側方枠ユニット４８は、制御信号をカメラアセンブリ位置決めユニット５２に送り、カメラアセンブリ位置決めユニット５２は、制御信号および符号器入力に基づいて、カメラアセンブリ５０をウェブ１２上のある位置に移動する。一実施形態において、カメラアセンブリ位置決めユニット５２は、カメラアセンブリ５０を、カメラアセンブリ位置決めユニット５２の機械的な制限に基づく所定の領域内の任意のＸ座標（例えば、搭載位置および各方向における移動長さ）に、および符号器入力に基づくＹ座標に移動するように構成される。カメラアセンブリ５０の位置決めは自動的であるが、操作者がカメラアセンブリ５０の手動の位置決めを望むなら、位置決めは、印刷機１０の操作者によって無効にすることができる。各カメラアセンブリ５０は、またウェブに対して静止したままであることができることに留意されたい。
【００３３】
側方枠ユニット４８は、また、画像記録デバイス６６および照明システム６４に制御信号を送る。制御信号が画像獲得の要求を含むとき、ウェブ１２は、照明システム６４によって照明され、かつ画像記録デバイス６６は、画像記録デバイス６６の視野内の印刷された画像の少なくとも一部を表す画像データを同時に記録する。より具体的には、ウェブ１２の画像は、まず画素のわずかな行を可能にし、かつそれらのセルを光に対して露光することによって記録され、次に、短い時間の後（画像記録デバイス６６のシャッタ速度に基づく）、それら画素の画像は記録され、次の行の組が可能にされる。要求された画像の全ての行が記録されるまで、この処理が続く。画像記録デバイス６６は、既存の画像記録デバイスを使用するとき記録されるように、情報の単一の点または単一の線だけの代わりに、視野内のウェブ１２の少なくとも一部の表示を記録することができる。
【００３４】
画像記録デバイス６６の特性は、画像の開始および終了のＸ−Ｙ寸法が制御されることを可能にし、正確な画像の記録を可能にする。次に記録することが意図された画像の開始および終了のＸ−Ｙ寸法が、関心の対象を含むことができない（すなわち、関心の対象が、画像記録デバイス６６の視野の外側である）ようにウェブ１２が移動する場合、カメラアセンブリ５０は、上述のように、関心の対象が、記録されるべき画像の開始および終了のＸ−Ｙ寸法内にあるように、カメラアセンブリ位置決めユニット５２によって再位置決めされる。
【００３５】
一実施形態において、画像記録デバイス６６は、相互集積された回路（Ｉ２Ｃ）メッセージング線および続くＩ２Ｃプロコトルを使用して初期化される。画像記録デバイス６６内の様々なレジスタは、画像記録デバイス６６の処理の完全な制御を可能にする。大抵利用されるレジスタ（たまに初期化以外）は、シャッタ速度レジスタ、列利得レジスタ、およびウインドウ寸法レジスタを含む。
【００３６】
ウインドウ寸法レジスタは、画像の寸法を設定することを可能にする。画像の寸法は、画像記録デバイス６６の視野の全体またはその任意の部分になるように設定することができる。画像の寸法を視野の一部だけになるように設定する場合、画像は、その視野の任意のＸ−Ｙ座標を占めるように設定することができる。しかしながら、画像の寸法は、通常の速度変動および同期ジッタを越えて所望のウェブ１２の部分の連続監視を可能にするように十分な寸法に設定される必要がある。
【００３７】
画像記録デバイス６６のシャッタ速度レジスタは、印刷機１０の様々な速度での画像記録を最適化するように設定される。シャッタ速度およびストロボＬＥＤの閃光持続期間は、１分間当たり約１０６７ｍ（３５００フィート）を超える速度のレート（すなわち、ウェブは、１分間当たり約１０６７ｍ（３５００フィート）を超える速度のレートで移動することができる）で効率的に運動を停止するために十分に速い。さらに、ＣＭＯＳ画像記録デバイスのシャッタ速度は、１マイクロ秒から１秒の範囲の露光時間を発生するように可変である。一実施形態において、単一のシャッタ速度設定は、印刷する印刷機速度の広い範囲のために使用することができる。
【００３８】
画像記録デバイス６６の列利得レジスタは、照明システム６４の色温度に関する色利得をバランスさせるために使用される。上記で議論されたように、どのタイプの光源が使用されるかに応じて、熱発生が、記録された画像のひずみを引き起こす可能性がある。列利得レジスタの調整はこれを調整する。ＬＥＤ光アレイ６７は、既存の光源より少ない熱を発生し、したがって熱発生のために起こる可能性がある任意のひずみの訂正を低減する。さらに、側方枠ユニット５６で使用される画像解析アルゴリズムは、さらに熱の悪影響を低減することができる。全てのレジスタに関する値は、開始時に事前にロードされ、レジスタ値の変化だけ実行時にロードする必要がある。値は、初期化のためにデータベースに配置することができる。
【００３９】
画像は、画像記録デバイス６６によって記録された後、記録された画像は、側方枠ユニット４８に伝達される。各データの行の組は、以降の行が記録されるように伝達することができる。記録された画像（またはそれら記録された画像の一部）は、直接メモリアクセス（ＤＭＡ）を介して、画像記録デバイス６６から側方枠ユニット４８へ伝達することができ、または他の実施形態において、画像記録デバイス６６および側方枠ユニット４８は、「外部」メモリを共有することができ、したがって伝達は、そのメモリの内部で実行される。伝達された画像データの量は、記録された画像の物理的寸法に依存する。側方枠ユニット４８は、数メガバイトの記憶空間（すなわちバッファ）を含むことができ、記憶空間は、記憶空間に結合された各カメラアセンブリ５０のために確保される。バッファは、第１のいくつかの記録された画像が伝達された後、いくつかの記録された画像が側方枠ユニット４８で利用可能であるように、バッファは、循環形態で使用される。バッファが一杯になると、新たな画像データは、バッファ内の「最も古い」画像データ上にセーブされる。一実施形態において、画像データは、将来の履歴解析を可能にするために、解析された後で他のメモリに伝達することができる。他の実施形態において、バッファの寸法は、履歴解析が可能なように十分に大きいことが可能である。
【００４０】
側方枠ユニット４８が、記録された画像を受け取ると、記録された画像は、どの制御態様で解析されるかに応じて処理される。以下に示される例において、折り畳み器における遮断制御が制御される。側方枠ユニット４８は、単一のマークに加えてマークのパターン（例えば、ダイヤモンド、三角形、または任意の他のパターン）、および既存のカメラアセンブリが認識できるマークの直線列を認識できる。この性能は、目視検査システム４６が、側方方向および周囲方向の両方において、ウェブの位置の変動を検出することを可能にする。制御システム５６、この例における遮断制御は、したがって、ウェブ１２の主な移動の方向と同一面で、ならびに主な移動の方向とは異なる面でウェブの調整を制御するために使用することができる。さらに、目視検査システム４６が認識するマークのパターンは、特にウェブの移動を検出するために、ウェブ１２上に印刷されたマークではなく、画像の一部であることができる。通常生成される画像の一部を認識する能力により、（例えば、折り目において、または廃棄のために遮断されるべき領域において）ウェブ上のこれら特定のマークの配置に関連する問題が削減される。
【００４１】
側方枠ユニット４８は、一貫性について、記録された画像を解析するように構成され、かつ側方方向および周囲方向の両方において、約０．０３ｃｍ（０．００１インチ）内に、記録された画像の構成要素の位置を決定するようにも構成される。解析技術は、数学的および／または幾何的な画像解析アルゴリズムを組み込むことができる。概して、多数のアルゴリズムは、多数のモード（例えば、初期化、安定状態動作、遮断）での目視検査システム４６の使用を可能にするように、単一の側方枠ユニット４８で使用することができる。これらのモードに特定のアルゴリズムを使用することにより、目視検査システム４６が、ウェブ１２が印刷機１０が始動するときに１分間当たりほぼ９１．４ｍ（約３００フィート）で移動するとき、３秒未満でマークのパターン上に固定することが可能である。
【００４２】
この遮断制御の例において、解析は、記録された画像の本体の明および／または暗の遷移の場所を探すことによって開始する。少なくとも３つの明および／または暗の遷移のパターンの場所が探し出された後、移動するウェブにおける任意の変化があるかどうかを決定するために、パターンは前のデータの組と比較される。マークおよび／またはパターンの任意の数の組は、マークまたはパターンを記録された画像と比較するために側方枠ユニット４８にロードすることができる。任意の検出された変化は、同期モジュール６８情報（例えば、ＴＤＣ遷移）およびカメラ位置決めユニット５２の解像度を使用して定量化される。側方枠ユニット５６は、ウェブ１２がどれだけ速く移動するか、および最後の知られているＸ−Ｙ位置が決定された後、何回通過したかを決定することによって、基準マークまたはパターンのＸ−Ｙ座標を計算することができる。側方枠ユニット５６は、解析する各カメラアセンブリに関する誤差を生成し、結果としての周囲および側方誤差を典型的な制御システム５６に伝達する。この情報は、次に、ウェブ１２および処理部の位置関係に対する必要な調整を制御するために使用される。
【００４３】
側方枠ユニット４８は、発生した事項の履歴を作り、かつウェブ１２および処理部の位置関係の変動のパターンについてその履歴を解析する。誤差追跡におけるパターンに関する周期が決定された場合、側方枠ユニット４８は、予想される将来の事象の誤差修正を提供するために、「将来」の解析にこれらの周期を適用するように構成される。他の実施形態において、データは、オフライン解析のために格納され、オフライン解析は、画像データをより良く解析するためにアルゴリズムをどのように修正するかの洞察を与えることができる。解析のこれらのタイプは、側方枠ユニット４８の全体のメモリ要件を増大する。
【００４４】
他の例において、目視検査システム４６は、閉鎖されたループのリボンまたはウェブ制御システムと共に利用される。一般に、形成器／折り畳み器の構成の上流の全てのウェブは、メモリ内に格納される。さらに、リボン制御システムの構成情報もメモリに格納される。そのような情報は、カメラマッピング（構成に含まれる全てのリボンに対する、補正器に対するカメラアセンブリ５０および山形棒に対するカメラアセンブリ５０の関係）、同期モジュール６８タイミング、ウェブ幅および位置、ならびにリボン制御システムの性能調節に対する様々な他の情報を含む。
【００４５】
印刷機の開始時に、折り畳み器事前設定システムは、リボン補正器および山形棒を事前設定する。リボン制御システムの側方配置機能は、次に各リボン（システムは２個から２４個のリボンを含むことがある）を正確な開始位置に移動する。正確な開始位置への移動は、目視検査システム４６を使用して各リボンの特定の縁部を目視検査することによって達成される。一般に、カメラアセンブリ５０は、各リボンを見るために搭載される。目視検査システム４６は、マークまたはパターンの位置を探し、リボン制御システムは、次に、リボンの幅に基づくリボン縁部の絶対位置、および目視検査システム４６によって提供されるマークまたはパターンのＸ−Ｙ座標を計算する。ウェブ１２上のインクが安定するとすぐに、カメラアセンブリ５０は、マークまたはパターンが配置されるべき狭い場所に位置決めされる。
【００４６】
リボン制御システムがマーク認識を利用する場合、目視検査システム４６は、同期モジュール６８によって提供されるタイミングに基づき画像を記録することによって、マークを探し出し始める。マークの位置が探されたら、リボン制御システムは、次に印刷対切断のレジスタを調整し、かつ印刷対折り畳みのレジスタも微細に調節する。本発明は、インクが視認できかつカメラアセンブリが狭い場所上に位置決めされることを条件に、２つの板循環におけるマークの位置を探すように構成される。
【００４７】
上述のように、ウェブ１２におけるパターン認識が所望であれば、ウェブ１２が１分間当たりほぼ９１．４ｍ（約３００フィート）の速度で移動する場合、本発明は、印刷機１０の開始の３秒間内にパターンの位置を探すように構成される。
【００４８】
リボン制御システムは、好ましくは、ジョブ構成ライブラリを含み、ジョブ構成ライブラリは、全ての構成パラメータに入る必要なくジョブを呼び出すために使用することができる。ジョブがジョブ構成ライブラリに格納されている場合、印刷機１０は、ジョブ構成ライブラリからジョブを選択し、ジョブの設定を確認し、必要であれば設定を調整し、かつシステムを自動モードにすることによって初期化される。目視検査システム４６は、次に、印刷機１０が自動モードにあるとき、ウェブ移動の観察を引き継ぐ。
【００４９】
実行するために必要なジョブがジョブ構成ライブラリ内に無い場合、印刷機操作者は、印刷機１０を自動モードにすることができる前に、カメラマッピングの定義、モータ出力極性を確立するために山形棒のリボン巻き方向の決定、モータ出力極性を確立するために補正器のリボン巻き方向の決定、使用に関する少なくとも１つの同期モジュール６８の選択、およびリボン幅と各リボンに関するオフセットとの決定を含む多数の作業を実行する必要があり得る。さらなる作業は、印刷機１０が自動モードにされる前に必要である可能性があり、その数は、マーク認識またはパターン認識が利用されるかどうかに応じる。
【００５０】
次に図４および図５に戻ると、これらの図は、印刷機１０の操作者によって視認可能なそれぞれ２つの典型的なランスクリーン７０および７２を図示する。ランスクリーン７０および７２は、印刷対切断および印刷対折り畳み動作を観察するために使用することができる。他の実施形態において、類似するランスクリーンを、他の適用に関するウェブ移動を観察するために利用することができる。ランスクリーン７０および７２は、許容可能な動作範囲７４を含むＸ−Ｙ軸を含む。一実施形態において、許容可能な範囲７４は、製造される製品が良好な製品であると考えられるときには緑であり、許容可能な範囲７４は、製造される製品が悪い製品であると考えられるときには赤である。十字細線指示器７６は、解析されるパターンまたはマークのＸ−Ｙ座標を指示する。標準偏差モニタボックス７８は、一般にパターンまたはマークを解析するために使用されるアルゴリズムに関連する誤差を示す。ランスクリーンは、タイトルボックス８０、誤差訂正量ボックス８２、パターン認識レベルボックス８４、および状態ボックス８６を含むように構成することができる。タイトルボックス８０は、ランスクリーンが何を表すか（例えば、２４個のリボンシステムの２つの数のリボン）を示すことができる。誤差訂正量ボックス８２は、Ｘ−Ｙ軸の原点から対象がどれだけ遠いか（例えば、パターンは、中心から左へ約０．４６ｃｍ（０．０１５インチ）であり、中心から上へ約０．４６ｃｍ（０．０１５インチ）に位置する）を示すことができる。誤差訂正量ボックス８２は、印刷機１０操作者のために単に誤差を定量化する。パターン認識レベルボックス８４は、解析アルゴリズムが、現在パターンの認識をどの程度成功しているか（例えば、８９％認識）を示すことができる。状態ボックス８６は、さらに製品の状態（例えば、良好な製品、悪い製品）を示す。ランスクリーン７０および７２は、より少ないまたはさらなる機能を含むようにさらに構成することができる。
【００５１】
前述のように、本発明は、印刷機１０上の他の制御システムと共に利用することができ、ウェブ１２の画像が得られることが必要であるときに利用することができる。
本発明の他の態様において、目視検査システム４６は、単色センサを含む画像記録デバイス６６を含む。制御システムの有効な動作を確実にするために、センサに到達する光の量を最適化することが重要である。本発明のこの態様は、色位置合わせ制御システムに関して以降に議論される。しかしながら、例えば、色制御およびウェブ検査などの他の印刷機制御システムに等しく適用可能であることに留意されたい。
【００５２】
いくつかの応用例において、単色センサは、主に白色のウェブなどの所定の基材から、イエローなどの所定のインク色の識別に困難性を有することがある。補正するために、目視検査システム４６は、異なる波長の光を放出する、複数のＬＥＤなどの色が付いた光源を含む。「色が付いた」光源は、白色光源ならびに他の非白色光源（青、イエロー、マゼンタなどの）を含む。好ましくは、白色および青色ＬＥＤを含む二色発光ＬＥＤストロボが使用される。Ｌｕｍｉｌｅｄｓから入手可能である形式番号ＬＸＨＬ−ＰＷ０３およびＬＸＨＬ−ＰＥ０２が、適切な光を提供するために本発明と共に利用することができる、それぞれ高輝度白色およびシアンＬＥＤの例である。他の色のＬＥＤが、二色発光で使用することもできることが理解される。二色発光機構で使用されるシアンＬＥＤは、青色ＬＥＤの１つの特定色合いを表し、青色ＬＥＤの他の色合いは、この特定の発光機構で使用することができ、かつ本発明の範囲内にまだあることも理解される。
【００５３】
図６を参照すると、光アレイ６７ａは、好ましくは、矩形構成で画像記録デバイス６６を囲む、シアンと白色が交互する２４個のＬＥＤを含む。ＬＥＤが基材を適切に照明する限り、任意の数のＬＥＤが使用することができることは理解される。二色ＬＥＤが、ウェブを照明するために必要な量の光を放出し、かつフィルタが色付けされた光の代わりに使用されるとき、光の損失の問題が見られることなく有効な制御を可能にする。色付けられた光源からの色付けされた光は、単色センサを使用してインク色のより有効な識別を可能にする。示される実施形態において、ＬＥＤは、各４個のＬＥＤを有する５つのグループとして電気的に制御され、各グループは、基材の照明における平衡を維持するために２個の白色ＬＥＤおよび２個のシアンＬＥＤを有する。
【００５４】
光源は、十分な光が有効な制御のためにウェブに到達することをさらに確実にするように、ウェブの適切な部分上にＬＥＤによって放出された光を集束するために、光アレイ６７ａの背後に配置された反射器９０も含む。反射器９０は、高度に研磨された鋼、アルミニウム、または他の銀めっきされた材料などの任意の反射性材料から作ることができる。反射器９０の構成および湾曲は、見られるべき基材の領域の照明さえも生成するために、光アレイ６７ａから光を集束するように構成される。光を適切に集束するために反射器９０に関して必要な反射の特定角度は、画像記録デバイスで使用されるレンズ、ならびにレンズと基材との間の距離に応じる。反射器９０は、画像記録デバイス６６の面に対してわずかな角度（例えば、約２度）で搭載することができる。
【００５５】
図７を参照すると、白色ＬＥＤは、可視スペクトル全体を包含する光プロファイルを有し、かつ所定の波長の色内容にスパイクを有することがある。所定の色におけるスパイクがあまりにも大きい場合、画像記録デバイス６６は印刷される画像におけるその色が見えなくなり、その部分の色位置合わせを困難にする。図７は、Ｌｕｍｉｌｅｄｓからの形式番号ＬＸＨＬ−ＰＷ０３  ＬＥＤの白色光のスペクトル内容を示す。任意の白色ＬＥＤは、色スパイクが任意の特定の色領域において大きすぎない限り、この応用例において作用する。このＬＥＤは、一般的に、７００ｍＡの電流入力および２５℃の接合温度で色温度５５００Ｋを有する。
【００５６】
非白色に色付けられたＬＥＤは、色の「色合い」になる。青色ＬＥＤは、ＬＸＨＬ−ＰＥ０２などのシアン範囲（波長において５０５ｎｍを中心とする）の光を放出することができ、またはふじ紫範囲（波長において４５５ｎｍを中心とする）の光を放出することができる。これは、他の色が付けられたＬＥＤに関しても当てはまる。青色ＬＥＤは、ウェブを照明するために作用するが、シアンＬＥＤは、基材上に印刷されたイエローインクと白色基材自体との間のより大きなコントラストの達成で特に有効である。上述された白色ＬＥＤは、このシアンＬＥＤと共に良好に動作する。というのは、白色スペクトル内容における青色スパイクが、シアン光の５０５ｎｍ中心になく、シアンインクに関して飛びまたはセンサ不感が発生しないからである。
【００５７】
インク色が識別される本明細書で記載される方法は、２つの仮定を行う。第１の仮定は、参照色はプロセスブラックであるが、参照色が必ずしも黒である必要はなく、参照色が知られる限り任意の参照色で識別を行うことができることが理解される。第２の仮定は、色位置合わせ制御システムにおける基準マークが、その識別を許容する幾何的な差異を有することである。一実施形態において、白色およびシアンＬＥＤは、共にストロボ発光され、ＬＥＤは、特定のウェブ速度で動作を停止するために十分な光を提供し、画像記録デバイスが、ウェブ１２の関連する部分の完全な画像を捕らえることを可能にする。色付けられたＬＥＤを共にストロボ発光することによって、全スペクトルにおける全てのプロセス色が、位置合わせされることを可能にする。この意味で、白色ＬＥＤによって放出された白色光は、主光源であり、画像記録デバイス６６が全スペクトルにおける全ての色を見ることを可能にする。しかしながら、上記で簡単に議論されたように、白色光で照明されたとき、画像記録デバイス６６が白色基材上に印刷されたイエローインクを見ることが難しい。したがって、シアンＬＥＤは、白色ウェブ１２に対してイエローインクを強調するために、白色ＬＥＤでストロボ発光される。これにより、単色センサが、利用可能な光の全体量を低減するシステムに対するフィルタを追加する必要なく全ての色を見ることができる。他の応用例において、赤外、マゼンタ、イエローなどの任意の他の色のＬＥＤは、所望の照明結果に応じて、白色ＬＥＤと組み合わせることができる。
【００５８】
他の実施形態において、残るプロセス色（この例におけるシアン、マゼンタ、およびイエロー）は、選択的な除去を介して識別される。例えば、シアンおよび白色ＬＥＤの混合ＬＥＤは、同時に活性化され、全てのプロセスインク色を有する初期画像の獲得を可能にする。次に、シアンＬＥＤだけが活性化され、イエローを引き立たせ、シアンを除去し、マゼンタに対する最小の影響を有し、第２の画像獲得を可能にする。第２の画像が、獲得された初期画像と比較されたとき、シアンマークが、第２の画像から除去された（シアン光で照明されたとき、センサは、シアンインクに対して色が見えない）ことを容易に識別し、それによってその位置を識別する。同様の処理は、白色ＬＥＤだけを活性化することによって、イエローを識別するために使用することができる。そのようにすることによって、シアンおよびマゼンタを強調し、かつイエロー基準マークを除去する。後者の画像を初期画像と比較することで、イエローマークの位置を識別する。
【００５９】
本発明の様々な他の特徴は、以下の請求項に示される。
【図面の簡単な説明】
【００６０】
【図１】ウェブオフセット印刷機を示す概略図である。
【図２】本発明による目視検査システムのブロック図である。
【図３】画像記録デバイスのレンズを取り囲むＬＥＤ光アレイの斜視図である。
【図４】例示的なランスクリーンである。
【図５】例示的なランスクリーンである。
【図６】画像記録デバイスのレンズを囲む他のＬＥＤ光アレイの前面図である。
【図７】白色光ＬＥＤのスペクトル内容のグラフ表示である。
【符号の説明】
【００６１】
１０  印刷機
１２  ウェブ
１４  巻き枠台
１６  巻き枠
１８、２０、２２、２４  印刷ユニット
２６  駆動システム
２８  駆動ローラ
３０、３２  ブランケットシリンダ
３４、３６  プレートシリンダ
３８  乾燥器
４０  冷却台
４２  被覆機械
４４  形成器／折り畳み器
４６  目視検査システム
４８  側方枠ユニット
５０  カメラアセンブリ
５２  カメラアセンブリ位置決めユニット
５４  カメラシステム
５６  制御システム
５８  シングルボードコンピュータ
６０  電源
６２  カメラインタフェースボード
６４  照明システム
６６  画像記録デバイス
６７  ＬＥＤ光アレイ
６７ａ  光アレイ
６８  同期モジュール
７０、７２  ランスクリーン
７４  許容可能な範囲
７６  十字細線指示器
７８  標準偏差モニタボックス
８０  タイトルボックス
８２  誤差訂正量ボックス
８４  パターン認識レベルボックス
８６  状態ボックス
９０  反射器
【図１】
2005315879.tif 000003
【図２】
2005315879.tif 000004
【図３】
2005315879.tif 000005
【図４】
2005315879.tif 000006
【図５】
2005315879.tif 000007
【図６】
2005315879.tif 000008
【図７】
2005315879.tif 000009
【外国語明細書】
2005315879000001.pdf